(57)【特許請求の範囲】
【請求項１】
地中に設けられた多数のＲＣ造の大径の杭にて地下の基礎体が支持され、地下の基礎体上に地上階又は地下階及び地上階が複数階にわたって建造されている既存の建造物への免震装置の設置方法において、前記基礎体の下側の地盤を掘削して、基礎体の下側に空所を形成し、該空所の下側にＲＣ造の耐圧盤を各杭と一体的に新設して、新設の耐圧盤と基礎体との間に人が移動できる程度の高さの空間を形成し、免震装置として、成の低い円柱形の積層ゴムとその下側及び上側に結合した積層ゴムの直径と同径若しくはその直径よりも大きい直径の円形の下側及び上側の取付板とで構成されている免震装置を使い、前記空間に露出した杭にその中心を水平な方向から貫通しかつ前記免震装置を一体の状態で挿入し得る免震装置設置用の開口を形成して、杭の前記開口の左側及び右側に杭の前記開口の上方の部分に作用する荷重を杭の前記開口の下方の部分に伝達し得る連結部を切り残し、前記開口内に前記免震装置を挿入し、前記免震装置の下側及び上側の取付板を杭の前記開口の下側部及び上側部に固着してから、杭の前記開口の左側及び右側の切り残した連結部を適宜の手段で除去することを特徴とする免震装置の設置方法。
【請求項２】
地中に設けられた多数のＲＣ造の大径の杭にて地下の基礎体が支持され、地下の基礎体上に地上階又は地下階及び地上階が複数階にわたって建造されている既存の建造物への免震装置の設置方法において、前記基礎体の下側の地盤を掘削して、基礎体の下側に空所を形成し、該空所の下側にＲＣ造の耐圧盤を各杭と一体的に新設して、新設の耐圧盤と基礎体との間に人が移動できる程度の高さの空間を形成し、免震装置として、成の低い円柱形の積層ゴムとその下側及び上側に結合した積層ゴムの直径と同径若しくはその直径よりも大きい直径の円形の下側及び上側の取付板とで構成されている免震装置を使い、前記空間に露出した杭にその中心を水平な方向から貫通しかつ前記免震装置を一体の状態で挿入し得る免震装置設置用の開口を形成して、杭の前記開口の左側及び右側に杭の前記開口の上方の部分に作用する荷重を杭の前記開口の下方の部分に伝達し得る連結部を切り残し、前記開口内に２基の前記免震装置を挿入し、これらの免震装置を前記開口の貫通方向に直列に配置し、各免震装置の下側及び上側の取付板を杭の前記開口の下側部及び上側部に固着してから、杭の前記開口の左側及び右側の切り残した連結部を適宜の手段で除去することを特徴とする免震装置の設置方法。
【請求項３】
地中に設けられた多数のＲＣ造の大径の杭にて地下の基礎体が支持され、地下の基礎体上に地上階又は地下階及び地上階が複数階にわたって建造されている既存の建造物への免震装置の設置方法において、前記基礎体の下側の地盤を掘削して、基礎体の下側に空所を形成し、該空所の下側にＲＣ造の耐圧盤を各杭と一体的に新設して、新設の耐圧盤と基礎体との間に人が移動できる程度の高さの空間を形成し、免震装置として、成の低い円柱形の積層ゴムとその下側及び上側に結合した積層ゴムの直径よりも大きい直径の円形の下側及び上側の取付板とで構成されている免震装置を使い、前記空間に露出した杭にその中心を水平な方向から貫通しかつ前記免震装置を一体の状態で挿入し得る縦断面が略矩形の免震装置設置用の開口を形成して、杭の前記開口の左側及び右側に杭の前記開口の上方の部分に作用する荷重を杭の前記開口の下方の部分に伝達し得る連結部を切り残し、杭の前記開口の下側部及び上側部に多数のアンカー機能のある鋼材片が間隔をおいて突設され、かつ前記免震装置の下側及び上側の取付板の下側及び上側に多数のアンカー機能のある袋ナットが固着されている下側プレート及び上側プレートを配し、各取付板のボルト孔、各プレートのボルト孔にそれぞれボルトを差し込み、各ボルトを各プレートに固着した袋ナットにねじ込んで、前記免震装置の取付板にプレートを固着してなるプレート付の免震装置が前記開口内の所定位置に配置されかつ前記袋ナットや鋼材片の配設域の周囲等にループ状の補強鉄筋が配された状態にして、杭の前記開口の下側部と下側プレートとの間の前記袋ナット、鋼材片、補強鉄筋等の配設域の周囲に型枠を配置し、かつ杭の前記開口の上側部と上側プレートとの間の前記袋ナット、鋼材片、補強鉄筋等の配設域の周囲に型枠を配置し、各型枠内にモルタル又はコンクリートを充填し、前記モルタル又はコンクリートの硬化後に各型枠を脱型し、下側プレート及び前記免震装置の下側の取付板を杭の前記開口の下側部に固着し、上側プレート及び前記免震装置の上側の取付板を杭の前記開口の上側部に固着してから、杭の前記開口の左側及び右側の切り残した連結部を適宜の手段で除去することを特徴とする免震装置の設置方法。
【請求項４】
地中に設けられた多数のＲＣ造の大径の杭にて地下の基礎体が支持され、地下の基礎体上に地上階又は地下階及び地上階が複数階にわたって建造されている既存の建造物への免震装置の設置方法において、前記基礎体の下側の地盤を掘削して、基礎体の下側に空所を形成し、該空所の下側にＲＣ造の耐圧盤を各杭と一体的に新設して、新設の耐圧盤と基礎体との間に人が移動できる程度の高さの空間を形成し、杭への免震装置設置用の開口の形成に先行して、杭の開口を形成する部分の左側及び右側の耐圧盤と基礎体との間の部分の杭の外側に、ＲＣ造の補強部を杭と一体に形成し、免震装置として、成の低い円柱形の積層ゴムとその下側及び上側に結合した積層ゴムの直径と同径若しくはその直径よりも大きい直径の円形の下側及び上側の取付板とで構成されている免震装置を使い、前記空間に露出した杭にその中心を水平な方向から貫通しかつ前記免震装置を一体の状態で挿入し得る免震装置設置用の開口を形成して、杭の前記開口の左側及び右側に杭の前記開口の上方の部分に作用する荷重を杭の前記開口の下方の部分に伝達し得る前記補強部を含む杭部分からなる連結部を切り残し、前記開口内に前記免震装置を挿入し、前記免震装置の下側及び上側の取付板を杭の前記開口の下側部及び上側部に固着してから、杭の前記開口の左側及び右側の切り残した前記補強部を含む連結部を適宜の手段で除去することを特徴とする免震装置の設置方法。
【請求項５】
基礎体の下側の空間に露出した杭の中間の所定の４か所に互いに平行で水平な方向の貫通孔をドリルを使って穿設し、各貫通孔の中心軸線を縦断面が矩形の免震装置設置用の開口の角部に位置させるようにし、杭の左上の貫通孔と左下の貫通孔の間及び右上の貫通孔と右下の貫通孔の間の部分を、略鉛直な面になるように、ワイヤーソーを使って鉛直に切断し、かつ杭の左下の貫通孔と右下の貫通孔の間及び杭の左上の貫通孔と右上の貫通孔の間の部分を、略水平な面になるように、ワイヤーソーを使って水平に切断し、切断した面などからなる短い角柱状体を取り出して、杭に縦断面が略矩形の免震装置設置用の開口を形成することを特徴とする請求項１〜４のいずれか一つの項記載の免震装置の設置方法。
【発明の詳細な説明】
【０００１】
【発明の属する技術分野】
この発明は、既設の建造物への免震装置の設置方法、特に、既設の建造物の既設の鉄筋コンクリート造（この「鉄筋コンクリート造」をこの明細書では「ＲＣ」という）杭が大径である場合における免震装置の設置方法に関する。
【０００２】
【従来の技術】
既設の建造物に形成された免震装置設置用の隙間に免震装置を配置する従来の方法には、例えば、次の（１）〜（３）のようなものがある。
（１）既設建造物の躯体下部の直下の地盤を根切して地下空間を形成し、土中に埋設されている支持杭の杭頭部のみを露出させ、杭頭部の下部外周に耐圧盤を一体に形成し、耐圧盤の上面と躯体下部との間にジャッキを設置し、支持杭が負担している既設建造物の垂直荷重をジャッキが受け持ち得るようにし、耐圧盤の上面から躯体下部まで延在している柱頭部の先端部を解体除去して免震装置設置用の隙間を形成し、該隙間に免震装置を設置して、ジャッキによる既設建造物の支持を解除して、既設建造物の垂直荷重を免震装置を介して支持杭に導入する免震装置の設置方法（特開平９−１７０３３８号公報参照）。
（２）既設の建造物の柱の外周部を所定範囲だけ取り除き、柱の中心部を残存させて段設部を形成し、該段設部の下部位置に下部台座を固設し、複数個に分割された積層ゴム式免震装置を下部台座の上に設置して、前記段設部に残存する柱の中心部を免震装置で囲繞し、この免震装置の上に上部台座を固設して前記段設部の上部位置に接続し、更に、前記段設部の柱の中心部を取り除く免震装置の設置方法（特開平１０−１７６４２６号公報参照）。
（３）既設の建造物の既設柱の外周部に鋼板巻きによる柱補強を行ったのち、既設柱頭部の応力を前記鋼板に伝達し、その伝達応力の既設柱脚部への伝達を可能にし、当該既設柱における免震装置の取付箇所を切除して取除き、この取除いた部分に免震装置を挿入して取付け、ジャッキなどを使用せずに既設の建造物を免震化する既設の建造物の免震工法（特願平７−２８６４４２号公報参照）。
【０００３】
【発明が解決しようとする課題】
従来の前記（１）の免震装置の設置方法によると、支持杭の直径が大きい場合にはジャッキとジャッキの間の間隔が大きくなり、荷重の支持点が杭の中心から遠く離れるから、躯体下部の基礎梁等を補強する必要が生じたり、躯体下部に有害な変形を生ぜしめる危険があったりして、多くの問題が生ずる。
従来の前記（２）の免震装置の設置方法では、残存させた柱の中心部を使うことで、既設の建造物の垂直荷重の支持が容易になる長所があっても、積層ゴム式免震装置を複数個に分割する必要があり、積層ゴム式免震装置の製作及び組み立てに多くの工数を要し、また、免震装置の設置後における残存させた柱の中心部の取り除きにも多くの工数を要する欠点がある。
前記（３）の既設の建造物の免震工法は、既設柱の免震装置の取付箇所を切除して取除く前に、既設柱の外周部に鋼板巻きによる柱補強を行なう必要があり、鋼板巻きによる柱補強に多くの工数を要する欠点がある。
この発明の解決しようとする課題は、従来技術の上記のような欠点を有しない既設の建造物への免震装置の設置方法を提供すること、換言すると、免震補強工事の際の杭の施工部に作用する荷重を仮支えするための費用を不要又は最少にすることができ、免震装置の杭の所定位置への設置が容易で、免震装置を既設の杭に強固に固着できる既設の建造物への免震装置の設置方法を提供することにある。
【０００４】
【課題を解決するための手段】
この発明の免震装置の設置方法は、地中に設けられた多数のＲＣ造の大径の杭にて地下の基礎体が支持され、地下の基礎体上に地上階又は地下階及び地上階が複数階にわたって建造されている既存の建造物への免震装置の設置方法において、前記基礎体の下側の地盤を掘削して、基礎体の下側に空所を形成し、該空所の下側にＲＣ造の耐圧盤を各杭と一体的に新設して、新設の耐圧盤と基礎体との間に人が移動できる程度の高さの空間を形成し、免震装置として、成の低い円柱形の積層ゴムとその下側及び上側に結合した積層ゴムの直径と同径若しくはその直径よりも大きい直径の円形の下側及び上側の取付板とで構成されている免震装置を使い、前記空間に露出した杭にその中心を水平な方向から貫通しかつ前記免震装置を一体の状態で挿入し得る免震装置設置用の開口を形成して、杭の前記開口の左側及び右側に杭の前記開口の上方の部分に作用する荷重を杭の前記開口の下方の部分に伝達し得る連結部を切り残し、前記開口内に前記免震装置を挿入し、前記免震装置の下側及び上側の取付板を杭の前記開口の下側部及び上側部に固着してから、杭の前記開口の左側及び右側の切り残した連結部を適宜の手段で除去することを特徴とするものである。
【０００５】
地下の基礎体を支持する杭の直径が少々小さい場合には、免震装置設置用の開口内に２基の免震装置を挿入し、これらの免震装置を前記開口の貫通方向に直列に配置し、各免震装置の下側及び上側の取付板を杭の前記開口の下側部及び上側部に固着するようにする。このようにすると、免震装置として小型（小径）のものを用いることになり、複数基の免震装置を挿入するための開口の幅を小さくすることができる。開口の幅を小さくすることにより、杭の前記開口の左側及び右側に切り残す連結部を大きくすることができる。
【０００６】
この発明の好ましい形態においては、基礎体の下側の地盤を掘削して、基礎体の下側に空所を形成し、該空所の下側にＲＣ造の耐圧盤を各杭と一体的に新設して、新設の耐圧盤と基礎体との間に人が移動できる程度の高さの空間を形成し、免震装置として、成の低い円柱形の積層ゴムとその下側及び上側に結合した積層ゴムの直径と同径若しくはその直径よりも大きい直径の円形の下側及び上側の取付板とで構成されている免震装置を使い、前記空間に露出した杭にその中心を水平な方向から貫通しかつ前記免震装置を一体の状態で挿入し得る縦断面が略矩形の免震装置設置用の開口を形成して、杭の前記開口の左側及び右側に杭の前記開口の上方の部分に作用する荷重を杭の前記開口の下方の部分に伝達し得る連結部を切り残し、杭の前記開口の下側部及び上側部に多数のアンカー機能のある鋼材片が間隔をおいて突設され、かつ前記免震装置の下側及び上側の取付板の下側及び上側に多数のアンカー機能のある袋ナットが固着されている下側プレート及び上側プレートを配し、各取付板のボルト孔、各プレートのボルト孔にそれぞれボルトを差し込み、各ボルトを各プレートに固着した袋ナットにねじ込んで、前記免震装置の取付板にプレートを固着してなるプレート付の免震装置が前記開口内の所定位置に配置されかつ前記袋ナットや鋼材片の配設域の周囲等にループ状の補強鉄筋が配された状態にして、前記袋ナットや鋼材片の配設域の周囲等にループ状の補強鉄筋を配し、杭の前記開口の下側部と下側ブレートとの間の前記袋ナット、鋼材片、補強鉄筋等の配設域の周囲に型枠を配置し、かつ杭の前記開口の上側部と上側プレートとの間の前記袋ナット、鋼材片等の配設域の周囲に型枠を配置し、各型枠内にモルタル又はコンクリートを充填し、前記モルタル又はコンクリートの硬化後に各型枠を脱型し、下側プレート及び免震装置の下側の取付板を杭の前記開口の下側部に固着し、上側プレート及び免震装置の上側の取付板を杭の前記開口の上側部に固着してから、杭の前記開口の左側及び右側の切り残した連結部を適宜の手段で除去するようにする。
【０００７】
杭の太さ又は強さが充分でなく、杭を補強しておく必要がある場合には、杭への免震装置設置用の開口の形成に先行して、杭の前記開口を形成する部分の左側及び右側の耐圧盤と基礎体との間の部分の杭の外側に、ＲＣ造の補強部を杭と一体に形成し、免震装置として、成の低い円柱形の積層ゴムとその下側及び上側に結合した積層ゴムの直径と同径若しくはその直径よりも大きい直径の円形の下側及び上側の取付板とで構成されている免震装置を使い、前記空間に露出した杭にその中心を水平な方向から貫通しかつ前記免震装置を一体の状態で挿入し得る免震装置設置用の開口を形成して、杭の前記開口の左側及び右側に杭の前記開口の上方の部分に作用する荷重を杭の前記開口の下方の部分に伝達し得る前記補強部を含む杭部分からなる連結部を切り残し、前記開口内に前記免震装置を挿入し、免震装置の下側及び上側の取付板を杭の前記開口の下側部及び上側部に固着してから、杭の前記開口の左側及び右側の切り残した前記補強部を含む連結部を適宜の手段で除去するようにする。
【０００８】
この発明の好ましい形態においては、基礎体の下側の空間に露出した杭の中間の所定の４か所に互いに平行で水平な方向の貫通孔をドリルを使って穿設し、各貫通孔の中心軸線を縦断面が矩形の免震装置設置用の開口の角部に位置させるようにし、杭の左上の貫通孔と左下の貫通孔の間及び右上の貫通孔と右下の貫通孔の間の部分を、略鉛直な面になるように、ワイヤーソーを使って鉛直に切断し、かつ杭の左下の貫通孔と右下の貫通孔の間及び杭の左上の貫通孔と右上の貫通孔の間の部分を、略水平な面になるように、ワイヤーソーを使って水平に切断し、切断した面などからなる短い角柱状体を取り出して、杭に縦断面が略矩形の免震装置設置用の開口を形成する。
【０００９】
免震装置設置用の開口の下側部又は上側部に植設するアンカー機能のある鋼材片としては、頭付き鉄筋、頭付きスタッド、所定さ長さ（高さ）の鉄筋（異形棒鋼）を用いる。
下側及び上側プレートに固着する袋ナットとしては、アンカー機能のある袋ナットを使う。アンカー機能のある袋ナットとしては、先に短い頭付き鉄筋を固着した袋ナット、外周面に凹凸部を設けた袋ナット等を用いる。
下側プレート又は上側プレートとして、その直径が杭に形成される免震装置設置用の開口の下側部又は上側部の幅と略同じか又は前記下側部又は上側部の幅よりも小さいプレートを使う。
【００１０】
【実施例】
実施例は、図１〜図１５に示され、既存の建造物のＲＣ造の杭に免震装置を設置する場合に本発明の設置方法を適用した例である。
既設の建造物３は、例えば、図１５に示すように、地下が１階で地上が１１階に建築され、その建造物３の地下躯体の基礎体２は、ＲＣ造の基礎梁等にて構成されて、多数のＲＣ造の大径の杭１にて地中に支持されている。各杭１の上端部と基礎体２とは一体的に結合され、杭１の天端に対応する基礎体２の部分に建造物３の地下階の柱３ａが建てられ、その下端部が基礎体２に結合されている。
図１及び図１４に示すように、基礎体２の周囲に山止壁７を形成して、基礎体２の下側の地盤を掘削し、基礎体の下側に空所を形成する。各杭１の周囲を人が歩行できる程度の高さの空間４を基礎体２の下側に形成する。その空間４の下側は新設したＲＣ造の耐圧盤５で構成されている。耐圧盤５を設ける杭１の周囲部には間隔をおいて多数の頭付き鉄筋１Ｓｄ１（アンカー機能のある鋼材片）が植設されていて、杭１と耐圧盤５とが一体化されている。
【００１１】
先ず、前記空間に露出した杭１の中間の所定の位置に４個の互いに平行で水平方向の貫通孔１ａ１〜１ａ４をドリルを使って穿設する。各貫通孔１ａ１〜１ａ４の中心軸線を縦断面が略矩形の免震装置設置用の開口Ａの角部に位置させるようにして、各貫通孔１ａ１〜１ａ４をワイヤーソーの案内孔として使用できるように構成する。それから、杭１の貫通孔１ａ１と貫通孔１ａ２の間及び貫通孔１ａ３と貫通孔１ａ４の間の部分を、略鉛直な面になるように、ワイヤーソーを使って鉛直に切断する。また、杭１の貫通孔１ａ２と貫通孔１ａ４の間及び貫通孔１ａ１と貫通孔１ａ３の間の部分を、略水平な面になるように、ワイヤーソーを使って水平に切断する。そして、四つの切断面（切断した略鉛直及び略水平な面）などからなる短い角柱状体を取り出すと、杭１の中間に縦断面が略矩形の免震装置設置用の開口Ａが形成される。
杭１の前記開口Ａの下側部１Ａの上面１Ａ１は略水平な面になり、杭１の開口Ａの上側部１Ｂの下面１Ｂ１も略水平な面になる。
免震装置設置用の開口Ａは、図４〜図９及び図１１〜図１３に示されているように、その幅が後記免震装置１０の取付板１２，１３や下側及び上側のプレート１４，１５の直径よりも大きく、その高さが後記のプレート１４，１５付の免震装置１０の上下方向の寸法よりも大きく形成され、免震装置を一体の状態で挿入し得るようになっている。
【００１２】
杭１の免震装置設置用の開口Ａの下側部１Ａに、頭付き鉄筋１Ｓｄ２の基部を挿入する孔１ｈを、下側部１Ａの上面１Ａ１に対して略直角に間隔をおいて多数箇穿設する。各孔１ｈに頭付き鉄筋１Ｓｄ２の基部を挿入し、鉄筋１Ｓｄ２の基部の外周面と孔１ｈの内周面との間に接着剤、結合材等を充填して、多数の頭付き鉄筋１Ｓｄ２を植設する。同様に、杭１中の免震装置設置用の開口Ａの上側部１Ｂに、頭付き鉄筋１Ｓｄ３の基部を挿入する孔１ｈを、上側部１Ｂの下面１Ｂ１に対して略直角に間隔をおいて多数箇穿設し、各孔１ｈに頭付き鉄筋１Ｓｄ３の基部を挿入し、鉄筋１Ｓｄ３の基部の外周面と孔１ｈの内周面との間に接着剤、結合材等を充填して、多数の頭付き鉄筋１Ｓｄ３を植設する。そして、図３に示す状態にする。
なお、頭付き鉄筋１Ｓｄ２，１Ｓｄ３（アンカー機能のある鋼材片）の植設（突設）は、開口Ａへの免震装置１０の挿入前でも挿入後でもよい。
【００１３】
免震装置１０は、図４に示すように、成の低い円柱形の積層ゴム１１とその下側及び上側に結合した積層ゴム１１の直径と同径若しくはその直径よりも大きい直径の円形の下側及び上側の取付板１２，１３とで構成されている。各取付板１２，１３の積層ゴム１１から鍔状に突出した周囲部の積層ゴム１１の軸心を中心とする円上に間隔をおいて多数のボルト孔１２ａ，１３ａが穿設されている。
免震装置１０の下側及び上側の取付板１２，１３を杭１の開口Ａの下側部１Ａ及び上側部１Ｂに取付けるのに使う鋼板製の円形の下側プレート１４及び上側プレート１５の周囲部には、その下側又は上側の前記取付板１２，１３の各ボルト孔１２ａ，１３ａに対応する位置に袋ナット１４ａ，１５ａが固着され、各袋ナット１４ａ，１５ａの螺子孔に対応する下側プレート１４及び上側プレート１５の各位置に各袋ナット１４ａ，１５ａの螺子孔に通じるボルト孔が穿設されている。なお、各袋ナット１４ａ，１５ａの先には、図４に示すように、頭付き鉄棒１４ｃが固着されている。
【００１４】
杭１に形成した免震装置設置用の開口Ａへの免震装置１０の設置の仕方としては、例えば、次の（ａ）〜（ｃ）のやり方がある。
（ａ）杭１の下側部１Ａ及び上側部１Ｂに多数の頭付き鉄筋１Ｓｄ２，１Ｓｄ３を植設する。免震装置１０の下側及び上側の取付板１２，１３の下側及び上側に下側プレート１４及び上側プレート１５を配し、取付板１２，１３のボルト孔１２ａ，１３ａ、プレート１４，１５のボルト孔にそれぞれボルトｂを差し込み、各ボルトｂをプレート１４，１５に固着した袋ナット１４ａ，１５ａにねじ込んで、免震装置１０の取付板１２，１３にプレート１４，１５を固着してなるプレート１４，１５付の免震装置１０を、杭１の下側部１Ａ及び上側部１Ｂに多数の頭付き鉄筋１Ｓｄ２，１Ｓｄ３が植設された免震装置設置用の開口Ａに挿入して、所定の位置に配置する。
（ｂ）頭付き鉄筋１Ｓｄ２の基部を押入する孔１ｈを、下側部１Ａの上面１Ａ１に対して略直角に間隔をおいて多数箇穿設しておき、前記プレート１４，１５付の免震装置１０の免震装置設置用の開口Ａへの挿入時に邪魔にならない頭付き鉄筋３Ｓｄ２，３Ｓｄ３のみを植設する。前記プレート１４，１５付の免震装置１０を、免震装置設置用の開口Ａに挿入して、所定の位置に配置してから、杭１の下側部１Ａ及び上側部１Ｂにその他の多数の頭付き鉄筋１Ｓｄ２，１Ｓｄ３を植設する。
（ｃ）杭１の下側部１Ａ及び上側部１Ｂに多数の頭付き鉄筋３Ｓｄ２，３Ｓｄ３を植設する。それから、袋ナット１４ａ，１５ａ付の下側及び上側のプレート１４，１５を免震装置設置用の開口Ａ内に挿入し、プレート１４，１５のいずれか一方を所定位置に設置してから、プレート１４，１５間にあけた隙間に免震装置１０を挿入して、免震装置１０の下側及び上側の取付板１２，１３のボルト孔１２ａ，１３ａ、プレート１４，１５のボルト孔にそれぞれボルトｂを差し込み、各ボルトｂをプレート１４，１５に固着した袋ナット１４ａ，１５ａにねじ込んで、免震装置１０の取付板１２，１３にプレート１４，１５を固着して、免震装置１０を所定位置に配置して移動しないようにする。
【００１５】
図５に示すように、免震装置１０の下側の下側プレート１４の袋ナット１４ａの配設域及び杭１の下側部１Ａの頭付き鉄筋１Ｓｄ２の配設域の周囲に２段又は２段以上に亘って１重又は２重にループ状の補強鉄筋１Ｌｐを配筋し、また、免震装置１０の上側の上側プレート１５の袋ナット１５ａの配設域及び杭１の上側部１Ｂの頭付き鉄筋１Ｓｄ３の配設域の周囲に２段又は２段以上に亘って１重又は２重にループ状の補強鉄筋１Ｌｐを配筋する。
図６に示すように、免震装置１０の下側の袋ナット１４ａ、頭付き鉄筋１Ｓｄ２、補強鉄筋１Ｌｐの配設域の周囲に円筒形の型枠１８を配置し、免震装置１０の上側の袋ナット１５ａ、頭付き鉄筋１Ｓｄ３、補強鉄筋１Ｌｐの配設域の周囲にも円筒形の型枠１８を配置する。各型枠１８には圧入管１８ａと空気抜き管１８ｂが設けられている。
各型枠１８内に圧入管１８ａから高流動性の膨張性モルタル又はコンクリートを圧入し、圧入したモルタル又はコンクリートが硬化したら、各型枠１８を脱型して、図７及び図８に示す状態にする。膨張性モルタル又はコンクリートの設計強度の発現により、杭１と免震装置１０とが完全に一体化される。
建造物１を下部の全ての杭１について、免震装置１０の設置が完了した後に、各杭１の免震手段設置用の開口Ａの左側の連結部（切り残し部）１Ｃ及び右側の連結部（切り残し部）１Ｄを切断し又は破壊して除去して、図１０に示す状態にする。連結部（切り残し部）１Ｃ，１Ｄは、例えば、切断面が杭１の下側部１Ａの上面１Ａ１及び杭１の上側部１Ｂの下面１Ｂ１と面一になるように、ワイヤーソーを使って水平に切断して除去する。
各杭１の連結部１Ｃ，１Ｄを切断除去すると、建造物１が免震性を備えた建造物に生まれかわる。この既存の建造物に免震性を付与する作業は、その建造物を普通に使いながら行うことができる。
【００１６】
杭１の直径が少々小さい場合には、図９に示すように、免震装置設置用の開口Ａ内に２基の少々小径の免震装置１０Ａを開口の貫通方向に隣接して直列に設置するようにする。このようにすると、２基の免震装置１０Ａを挿入するための開口Ａの幅を小さくすることができる。開口の幅を小さくすることにより、杭の前記開口の左側及び右側に残す連結部（切り残し部）１Ｃ，１Ｄを大きくすることができる。
免震装置１０Ａの設置の仕方は前記の開口Ａに１基の免震装置１０を設置する場合と同様である。
また、杭１の直径が充分に大きくない場合でも、図１１及び図１２に示すように、基礎体２と耐圧盤５との間の杭１の部分を補強すれば、上述の免震装置１０の設置方法は採用することができる。この場合には、杭１への免震装置設置用の開口Ａの形成に先行して、開口Ａとなる部分の左側及び右側の連結部（切り残し部）１Ｃ，１Ｄの外側に、ＲＣ造の補強部１Ｅ，１Ｆを、例えば、基礎体２と耐圧盤５との間に延在させて、杭１の両側の部分と一体に形成する。
【００１７】
各杭１の免震装置設置用の開口Ａの左側及び右側の連結部（切り残し部）１Ｃ，１Ｄを切断し又は破壊して除去しても、免震装置２０の免震能が発揮されないようにするには、図１３に示すように、免震装置１０の下側の取付板１２の積層ゴム１１から鍔状に突出した周囲部の上側の４箇所に、鋼製のＬ形の短い規制片１６Ａをそれぞれ配し、各規制片１６ＡのＬ形の一方の水平部に穿ったボルト孔、下側の取付板１２のボルト孔及び下側プレート１４のボルト孔に通したボルトｂを、下側プレート１４の袋ナット１４ａの螺子孔にねじ込んで、各規制片１６Ａを取付板１２及び下側プレート１４に固着し、免震装置１０の周囲部の上側の取付板１３の積層ゴム２１から鍔状に突出した周囲部の下側の４箇所に、前記規制片１６Ａと同じ規制片１６Ｂをそれぞれ配し、各規制片１６ＢのＬ形の一方の水平部に穿ったボルト孔、上側の取付板１３のボルト孔及び上側プレート１５のボルト孔に通したボルトｂを、上側プレート１５の袋ナット１５ａの螺子孔にねじ込んで、各規制片１６Ｂを取付板１３及び上側プレート１５に固着し、取付板１２及び下側プレート１４に固定した各規制片１６ＡのＬ形の他方の鉛直部に穿ったボルト孔と取付板１３及び上側プレート１５に固定した各規制片１６ＢのＬ形の他方の鉛直部に穿ったボルト孔とにそれぞれボルトｂを通し、それらのボルトｂにナットｎをねじ込んで、下側の各規制片１６Ａと上側の各規制片１６Ｂとを着脱可能に結合した状態にし、免震装置１０の積層ゴム１１が変形できないように規制して、補強鉄筋１Ｌｐの配筋、型枠１８の設置、モルタル又はコンクリートの圧入等の作業を行うようにすると、それらの作業中に下側プレート、免震装置及び上側プレートの所定の位置関係が乱れることがない。また、前記状態においては、各規制片１６Ａ，１６Ｂにて免震装置１０の積層ゴム２１の変形が阻止されているので、杭の連結部（切り残し部）１Ｃ，１Ｄを除去しても、免震装置１０の免震能は発揮されない。ボルト・ナットｂ・ｎによる下側の各規制片１６Ａと上側の各規制片１６Ｂとの結合を解除したり、規制片１６Ａ，１６Ｂを除去したりすると、免震装置１０の免震能が発揮される。
【００１８】
既存の建造物３の免震化工事を完了させる前に、図１４に示すように、建造物３の地下躯体の周囲にＲＣ造の擁壁６を建造し、擁壁６の下部と耐圧盤５の周囲部とを一体的に結合する。また、擁壁６の上端部の一部に建造物３側に鍔状に突出する突出部６ａを形成し、該突出部６ａに対応する建造物３の周囲部に擁壁６側に鍔状に突出する突出板部３ｂを形成し、突出部６ａの上側に小間隔をおいて突出板部３ｂが位置するようにする。
上記のようにしておくと、既存の建造物３の免震化工事の完了後の地震時に、建造物３とその周囲の敷地にある擁壁６との間に相対的な変位が生じた場合にも、突出板部３ｂ上を通って、建造物３から外に出たり、外から建造物３の中へ入ったりすることが危険なくできる。
【００１９】
【発明の効果】
この発明は、特許請求の範囲の各請求項に記載した構成を備えることにより、次の（イ）〜（ホ）の効果を奏する。
（イ）請求項１の免震装置の設置方法は、地中に設けられた多数のＲＣ造の大径の杭にて地下の基礎体が支持され、地下の基礎体上に地上階又は地下階及び地上階が複数階にわたって建造されている既存の建造物への免震装置の設置方法において、前記基礎体の下側の地盤を掘削して、基礎体の下側に空所を形成し、該空所の下側にＲＣ造の耐圧盤を各杭と一体的に新設して、新設の耐圧盤と基礎体との間に人が移動できる程度の高さの空間を形成し、免震装置として、成の低い円柱形の積層ゴムとその下側及び上側に結合した積層ゴムの直径と同径若しくはその直径よりも大きい直径の円形の下側及び上側の取付板とで構成されている免震装置を使い、前記空間に露出した杭にその中心を水平な方向から貫通しかつ前記免震装置を一体の状態で挿入し得る免震装置設置用の開口を形成して、杭の前記開口の左側及び右側に杭の前記開口の上方の部分に作用する荷重を杭の前記開口の下方の部分に伝達し得る連結部を切り残し、前記開口内に前記免震装置を挿入し、前記免震装置の下側及び上側の取付板を杭の前記開口の下側部及び上側部に固着してから、杭の前記開口の左側及び右側の切り残した連結部を適宜の手段で除去するため、次の（１）及び（２）の効果を奏する。
（１）基礎体の下側の空間に露出した杭にその中心を水平な方向から貫通しかつ前記免震装置を一体の状態で挿入し得る免震装置設置用の開口を形成して、杭の前記開口の左側及び右側に杭の前記開口の上方の部分に作用する荷重を杭の前記開口の下方の部分に伝達し得る連結部を切り残すから、免震補強工事の際の杭の施工部に作用する荷重を仮支えするたの手段（例えば、支柱、ジャッキ、架台等が）が全く不要になり、免震補強工事費の中で大きな金額を占める前記仮支えするための資材費及びそのための人件費が全く必要でなく、既設の杭への免震装置の設置を最小の費用で行なうことができる。
（２）免震装置設置用の開口内に成の低い円柱形の積層ゴムとその下側及び上側に結合した積層ゴムの直径と同径若しくはその直径よりも大きい直径の円形の下側及び上側の取付板とで構成されている免震装置を一体の状態で挿入し、前記免震装置の下側及び上側の取付板を杭の前記開口の下側部及び上側部に固着した後、杭の前記開口の左側及び右側の切り残した連結部を適宜の手段で除去するため、安全かつ容易に連結部（切り残し部）を除去することができ、免震装置の杭の所定位置への設置が容易である。
【００２０】
（ロ）請求項２の免震装置の設置方法は、上記（１）及び（２）の効果と同様の効果を奏し得るだけでなく、次の（３）の効果を奏する。
（３）杭の免震装置設置用の開口内に２基の免震装置を挿入し、これらの免震装置を前記開口の貫通方向に直列に配置し、各免震装置の下側及び上側の取付板を杭の前記開口の下側部及び上側部に固着するようにするから、免震装置として小型（小径）のものを用いることで、それらを挿入するための開口の幅を小さくすることができ、開口の幅を小さくすることで、杭の前記開口の左側及び右側に杭の開口の上方に作用する荷重を杭の前記開口の下方に伝達し得るようにするために切り残す連結部を大きくすることができるから、比較的小径の杭にも本発明により免震装置を設置することができる。
【００２１】
（ハ）請求項３の免震装置の設置方法は、上記（１）及び（２）の効果と同様の効果を奏し得るだけでなく、次の（４）の効果を奏する。
（４）杭の免震装置設置用の開口の下側部及び上側部に多数のアンカー機能のある鋼材片が間隔をおいて突設され、かつ免震装置の下側及び上側の取付板の下側及び上側に多数のアンカー機能のある袋ナットが固着されている下側プレート及び上側プレートを配し、各取付板のボルト孔、各プレートのボルト孔にそれぞれボルトを差し込み、各ボルトを各プレートに固着した袋ナットにねじ込んで、免震装置の取付板にプレートを固着してなるプレート付の免震装置が前記開口内の所定位置に配置されかつ前記袋ナットや鋼材片の配設域の周囲等にループ状の補強鉄筋が配された状態にして、杭の前記開口の下側部と下側プレートとの間の前記袋ナット、鋼材片、補強鉄筋等の配設域の周囲に型枠を配置し、かつ杭の前記開口の上側部と上側プレートとの間の前記袋ナット、鋼材片、補強鉄筋等の配設域の周囲に型枠を配置し、各型枠内にモルタル又はコンクリートを充填し、前記モルタル又はコンクリートの硬化後に各型枠を脱型し、下側プレート及び免震装置の下側の取付板を杭の前記開口の下側部に固着し、上側プレート及び免震装置の上側の取付板を杭の前記開口の上側部に固着するから、免震装置の下側及び上側の取付板を杭の前記開口の下側部及び上側部に固着するモルタル又はコンクリートからなる層を高強度のものにすることができ、免震装置を杭の前記開口の下側部及び上側部に強固に固着することができる。
【００２２】
（ニ）請求項４の免震装置の設置方法は、次の（５）及び（６）の効果を奏する。
（５）ＲＣ造の杭への免震手段設置用の開口の形成に先行して、杭の開口を形成する部分の左側及び右側の耐圧盤と基礎体との間の部分の杭の外側に、ＲＣ造の補強部を杭と一体に形成し、免震装置として、成の低い円柱形の積層ゴムとその下側及び上側に結合した積層ゴムの直径と同径若しくはその直径よりも大きい直径の円形の下側及び上側の取付板とで構成されている免震装置を使い、基礎体の下側の空間に露出した前記杭にその中心を水平な方向から貫通しかつ前記免震装置を一体の状態で挿入し得る免震装置設置用の開口を形成して、前記補強部を含む杭部分からなる連結部を切り残すから、太さ又は強度が充分でない杭にも、免震装置設置用の開口を連結部を残して形成することができ、免震補強工事の際の杭の施工部に作用する荷重を仮支えするための手段の一部となるＲＣ造の補強部を僅かな資材費及び人件費でつくることができる。
（６）杭に形成した免震装置設置用の開口内に前記免震装置を挿入し、前記免震装置の下側及び上側の取付板を杭の前記開口の下側部及び上側部に固着してから、杭の前記開口の左側及び右側の前記補強部を含む連結部（切り残し部）を適宜の手段で除去するから、ＲＣ造の補強部を含む連結部を安全かつ容易に除去することができ、免震装置の既設の杭の所定位置への設置が容易である。
【００２３】
（ホ）請求項５の免震装置の設置方法は、上記（１）〜（６）の効果と同様の効果を奏し得るだけでなく、次の（７）の効果を奏する。
（７）基礎体の下側の空間に露出したＲＣ造の杭の中間の所定の４か所に互いに平行で水平な方向の貫通孔をドリルを使って穿設し、各貫通孔の中心軸線を縦断面が略矩形の免震装置設置用の開口の角部に位置させるようにし、杭の左上の貫通孔と左下の貫通孔の間及び右上の貫通孔と右下の貫通孔の間の部分を、略鉛直な面になるように、ワイヤーソーを使って鉛直に切断し、かつ杭の左下の貫通孔と右下の貫通孔の間及び杭の左上の貫通孔と右上の貫通孔の間の部分を、略水平な面になるように、ワイヤーソーを使って水平に切断し、切断した面などからなる短い角柱状体を取り出して、杭に縦断面が略矩形の免震装置設置用の開口を形成するから、その下側の下側部の上面が略水平な面であり、その上側の上側部の下面が略水平な面である縦断面が略矩形の免震装置設置用の開口を容易に形成することができる。また、ＲＣ造の杭をワイヤーソーを使って切断することで、切断時の騒音及び振動を低く抑えることができ、既存の建造物を普通に使用しながら免震補強工事を行うことができる。
【図面の簡単な説明】
【図１】この発明の免震装置の設置方法の実施例の案内用の貫通孔の穿設された杭等を示す既設の建造物の下部の正面図
【図２】図１に示す杭の貫通孔のある部分を図１のＡ−Ａ線で断面した平面図
【図３】実施例の免震装置設置用の開口の下側部及び上側部に頭付き鉄筋を植設した杭の正面図
【図４】実施例の免震装置設置用の開口に免震装置等を挿入した杭の正面図
【図５】実施例の免震装置設置用の開口内の袋ナット及び頭付き鉄筋の配設域等の周囲への補強鉄筋の配筋状態を示す正面図
【図６】実施例の免震装置設置用の開口内の袋ナット、頭付き鉄筋、補強鉄筋の配設域の周囲に型枠を配置した杭の正面図
【図７】実施例の免震装置設置用の開口の下側部及び上側部に免震装置を固着した杭の正面図
【図８】図７に示す杭の免震装置の設置部を図７のＢ−Ｂ線で断面した平面図
【図９】実施例の杭の免震装置設置用の開口に２基の免震装置を設置した場合の設置部を図７のＢ−Ｂ線と同様の線にて断面した平面図
【図１０】実施例の杭の免震装置設置用の開口に免震装置を設置し、前記開口の左側の支持部及び右側の支持部を除去した状態の正面図
【図１１】直径が少々小さい杭の基礎体と耐圧盤との間の部分を補強する場合の杭の補強部等を示す正面図
【図１２】図１１に示す杭を図１１のＣ−Ｃ線で断面した平面図
【図１３】実施例の下側プレート、免震装置の下側の取付板、上側の取付板及び上側プレートを規制片を介して連結した免震装置等を免震装置設置用の開口に挿入した状態の杭の正面図
【図１４】この発明により免震化した建造物の正面図
【図１５】この発明により免震化する既設の建造物の正面図
【符号の説明】
１  建造物
１ａ１〜１ａ４  貫通孔
１Ａ  下側部
１Ａ１  上面
１Ｂ  上側部
１Ｂ１  下面
１Ｃ，１Ｄ連結部（支持部）
１Ｅ，１Ｆ  補強部
１Ｓｄ１〜３Ｓｄ３  頭付き鉄筋（アンカー筋）
１Ｌｐ  補強鉄筋
２  基礎体
３  建造物
３ａ  地下階の柱
３ｂ  突出板部
４  空間
５  耐圧盤
６  擁壁
６ａ  突出部
７  山止壁
１０  免震装置
１１  積層ゴム
１２，１３  取付板
１２ａ，１３ａ  ボルト孔
１４  下側プレート
１５  上側プレート
１４ａ，１５ａ  袋ナット
１４ｃ  頭付き鉄棒
１６Ａ，１６Ｂ  規制片
１８  鋼製型枠
１８ａ  圧入管
Ａ  免震装置設置用の開口
ｂ  ボルト
ｎ  ナット
【図１】
0003586835.tif 000002
【図２】
0003586835.tif 000003
【図３】
0003586835.tif 000004
【図４】
0003586835.tif 000005
【図５】
0003586835.tif 000006
【図６】
0003586835.tif 000007
【図７】
0003586835.tif 000008
【図８】
0003586835.tif 000009
【図９】
0003586835.tif 000010
【図１０】
0003586835.tif 000011
【図１１】
0003586835.tif 000012
【図１２】
0003586835.tif 000013
【図１３】
0003586835.tif 000014
【図１４】
0003586835.tif 000015
【図１５】
0003586835.tif 000016